(57)【要約】【課題】コマンド制御用の特別なシステムを必要とすることなく、外部機器から設定の変更を容易に行うことのできる画像表示装置を提供する。【解決手段】外部機器から画像データを受信する画像受信部と、前記画像データに係る画像を表示する表示部と、予め定められた指令に基づき、予め定められた設定の変更を行う設定変更部と、前記画像データに係る画像中に予め定められた規定パターンが含まれるか否かを判定する画像判定部と、前記指令を前記規定パターンに予め関連付けて保持する記憶部と、前記画像データに係る画像中に前記規定パターンが含まれると前記画像判定部が判定したとき、前記規定パターンに関連付けられた前記指令に基づき、前記設定変更部に前記設定を変更させる制御部とを備えたことを特徴とする画像表示装置。【選択図】図６
2018180335.tif 000002
【特許請求の範囲】
【請求項１】
外部機器から画像データを受信する画像受信部と、前記画像データに係る画像を表示する表示部と、予め定められた指令に基づき、予め定められた設定の変更を行う設定変更部と、前記画像データに係る画像中に予め定められた規定パターンが含まれるか否かを判定する画像判定部と、前記指令を前記規定パターンと予め関連付けて保持する記憶部と、前記画像データに係る画像中に前記規定パターンが含まれると前記画像判定部が判定したとき、前記規定パターンと関連付けられた前記指令に基づき、前記設定変更部に前記設定を変更させる制御部とを備えたことを特徴とする画像表示装置。
【請求項２】
前記規定パターンは、１次元または２次元コードである請求項１に記載の画像表示装置。
【請求項３】
前記設定は、画像表示、音声入出力、カラーモード切替およびネットワーク接続に関する設定のうち少なくとも１つの設定を含む請求項１または２に記載の画像表示装置。
【請求項４】
請求項１〜３のいずれか１つに記載の画像表示装置に画像データを出力する外部機器であって、
前記外部機器は、ユーザーからの入力操作を受け付ける入力操作部と、前記入力操作に基づき、前記画像表示装置に対する指令に関連付けられた前記規定パターンを生成する規定パターン生成部と、前記画像表示装置に対し、画像データを出力する画像出力部と、前記画像表示装置に対する指令を送信すべき旨の入力操作を前記入力操作部が受け付けたとき、前記指令に予め関連付けられた前記規定パターンを前記規定パターン生成部に生成させて、前記規定パターンに係る画像データを前記画像出力部に出力させる機器制御部とを備えた外部機器。
【請求項５】
前記画像表示装置に出力すべき画像データに係る画像に前記規定パターンを重畳させた重畳画像を生成する機器画像処理部をさらに備え、
前記機器制御部は、前記画像表示装置に対し、前記画像表示装置に対する指令を送信すべき旨の入力操作を前記入力操作部が受け付けたとき、前記指令に予め関連付けられた前記規定パターンを前記規定パターン生成部に生成させ、前記画像データに係る画像に前記規定パターンを重畳させた重畳画像を前記機器画像処理部に生成させて、前記画像表示装置に対し、前記重畳画像に係る画像データを前記画像出力部に出力させる請求項４に記載の外部機器。
【請求項６】
機器表示部をさらに備え、
前記機器制御部は、前記指令に係る項目を選択可能に表示したリストを前記機器表示部に表示させ、前記リストに表示された前記指令の実行を前記入力操作部が受け付けたとき、前記指令と予め関連付けられた前記規定パターンを前記規定パターン生成部に生成させ、前記規定パターンを前記画像と重畳させた重畳画像を前記機器画像処理部に生成させ、前記画像表示装置に対し、前記重畳画像に係る画像データを前記画像出力部に出力させる請求項５に記載の外部機器。
【請求項７】
前記規定パターンは、前記機器表示部の予め定められた位置に表示される請求項６に記載の外部機器。
【請求項８】
前記規定パターンは、前記機器表示部の前記リストと重複しない位置に表示される請求項６または７に記載の外部機器。
【請求項９】
前記規定パターンは、前記機器表示部に予め定められた時間、表示された後で消去される請求項６〜８のいずれか１つに記載の外部機器。
【請求項１０】
外部機器から画像データを受信して前記画像データに係る画像を表示する表示ステップと、予め定められた設定の変更に係る指令と関連付けられた規定パターンを受信する受信ステップと、前記画像データに係る画像中に前記規定パターンが含まれるか否かを判定する判定ステップと、前記規定パターンが含まれると判定した場合、前記規定パターンと関連付けられた前記指令に基づき、前記設定を変更する変更ステップとを含むことを特徴とする画像表示方法。
【請求項１１】
外部機器および画像表示装置からなる画像表示システムであって、
前記外部機器は、ユーザーの入力操作を受け付ける入力操作部と、前記入力操作に基づき、前記画像表示装置に対する指令に予め関連付けられた規定パターンを生成する規定パターン生成部と、画像を表示する機器表示部と、前記規定パターンを前記画像と重畳させた重畳画像を生成する機器画像処理部と、前記画像表示装置に対し、前記重畳画像に係る画像データを出力する画像出力部と、前記入力操作部、前記規定パターン生成部、前記機器表示部、前記機器画像処理部および前記画像出力部を制御する機器制御部とを備え、
前記画像表示装置は、前記外部機器から出力された画像データを受信する画像受信部と、前記画像データに係る画像を表示する表示部と、予め定められた設定の変更を行う設定変更部と、前記画像データに係る画像中に前記規定パターンが含まれるか否かを判定する画像判定部と、前記指令を前記規定パターンに予め関連付けて保持する記憶部と、前記画像受信部、前記表示部、前記画像処理部、前記画像判定部および前記記憶部を制御する制御部とを備え、
前記機器制御部は、前記画像表示装置に対する指令を送信すべき旨の入力操作を前記入力操作部が受け付けたとき、前記指令に予め関連付けられた前記規定パターンを前記規定パターン生成部に生成させ、前記規定パターンを前記画像と重畳させた重畳画像を前記機器画像処理部に生成させ、前記画像表示装置に対し、前記重畳画像に係る画像データを前記画像出力部に出力させ、
前記制御部は、前記画像データに係る画像中に前記規定パターンが含まれると前記画像判定部が判定したとき、前記規定パターンに関連付けられた前記指令に基づき、前記設定変更部に前記設定を変更させることを特徴とする画像表示システム。
【発明の詳細な説明】
【技術分野】
【０００１】
この発明は、画像表示装置、外部機器、画像表示方法および画像表示システムに関する。
【背景技術】
【０００２】
従来、ディスプレイ装置等の画像表示装置にパーソナルコンピュータ（ＰＣ）等の外部機器を１台以上接続した場合において、２以上の外部機器から入力された映像または画像（以下、「画像」）、あるいは１以上の外部機器から入力された画像および画像表示装置本体の画像を切り替えて画像表示装置の表示部の１つの画面に表示させる機能が知られている。また、これらの画像を２以上の小画面に並べて表示するＰＢＰ（Picture By Picture）機能や、メインとなる大画面中に小画面を表示するＰＩＰ（Picture In Picture）機能なども知られている。
【０００３】
これらの機能を有する画像表示装置において、外部機器から入力された画像の変更操作を行う場合、画像表示装置の操作キーやタッチパネル等によって直接操作するか、あるいは付属のリモコンで操作を行うのが一般的であった。
【０００４】
しかしながら、画像表示装置を直接操作する方法は、画像表示装置から離れた場所に設置された外部機器のユーザーにとって利便性の高いものとはいえない。また、リモコンによる操作方法も、ユーザーは手元にリモコンがなければすぐに操作できないため、他のユーザーからリモコンを回してもらう必要がある。さらに、外部機器を接続する画像表示装置や付属のリモコンの種類が、ユーザーが慣れ親しんだものと異なる場合、操作方法を新たに学ばなければならない問題が生じることもある。
【０００５】
一方、画像表示装置の直接操作や付属のリモコン等によらない画像の変更方法として、例えば、インターフェースから入力されたコマンドが画像の変更を指示するコマンドであると識別された場合に、当該コマンドに応じて表示装置に新たに表示される画像と現在前記表示画面に表示させている画像とを合成して得られる画像の画像信号を前記表示装置に出力する画像合成手段を備えた情報処理装置の発明が開示されている（例えば、特許文献１を参照）。
【先行技術文献】
【特許文献】
【０００６】
【特許文献１】特開２０１０−００４４８６号公報
【発明の概要】
【発明が解決しようとする課題】
【０００７】
このような画像の変更を指示するコマンドを用いることにより、外部機器から直接、画像表示装置に入力画像の変更操作を行うことが可能となるため、画像表示装置の直接操作やリモコンを用いた画像の変更操作が不要となる。
【０００８】
しかしながら、コマンドによる画像の変更を行う場合、事前にＲＳ−２３２ＣやＥｔｈｅｒｎｅｔ等でネットワークを構築し、コマンド制御のためのシステムを構築しておく必要がある。特に、複数の外部機器が各々異なる接続方法で画像表示装置に接続されている場合、各々の接続方法に応じたシステムを構築する必要があるため、システムが非常に複雑になるという問題があった。
【０００９】
この発明は、以上のような事情を考慮してなされたものであって、その目的は、コマンド制御用の特別なシステムを必要とすることなく、外部機器から設定の変更を容易に行うことのできる画像表示装置、画像表示方法および画像表示システムを提供することにある。
【課題を解決するための手段】
【００１０】
この発明は、外部機器から画像データを受信する画像受信部と、前記画像データに係る画像を表示する表示部と、予め定められた指令に基づき、予め定められた設定の変更を行う設定変更部と、前記画像データに係る画像中に予め定められた規定パターンが含まれるか否かを判定する画像判定部と、前記指令を前記規定パターンと予め関連付けて保持する記憶部と、前記画像データに係る画像中に前記規定パターンが含まれると前記画像判定部が判定したとき、前記規定パターンと関連付けられた前記指令に基づき、前記設定変更部に前記設定を変更させる制御部とを備えたことを特徴とする画像表示装置を提供するものである。
また、この発明は、外部機器から画像データを受信して前記画像データに係る画像を表示する表示ステップと、予め定められた設定の変更に係る指令と関連付けられた規定パターンを受信する受信ステップと、前記画像データに係る画像中に前記規定パターンが含まれるか否かを判定する判定ステップと、前記規定パターンが含まれると判定した場合、前記規定パターンと関連付けられた前記指令に基づき、前記設定を変更する変更ステップとを含むことを特徴とする画像表示方法を提供するものである。
また、この発明は、外部機器および画像表示装置からなる画像表示システムであって、前記外部機器は、ユーザーの入力操作を受け付ける入力操作部と、前記入力操作に基づき、前記画像表示装置に対する指令に予め関連付けられた規定パターンを生成する規定パターン生成部と、画像を表示する機器表示部と、前記規定パターンを前記画像と重畳させた重畳画像を生成する機器画像処理部と、前記画像表示装置に対し、前記重畳画像に係る画像データを出力する画像出力部と、前記入力操作部、前記規定パターン生成部、前記機器表示部、前記機器画像処理部および前記画像出力部を制御する機器制御部とを備え、前記画像表示装置は、前記外部機器から出力された画像データを受信する画像受信部と、前記画像データに係る画像を表示する表示部と、予め定められた設定の変更を行う設定変更部と、前記画像データに係る画像中に前記規定パターンが含まれるか否かを判定する画像判定部と、前記指令を前記規定パターンに予め関連付けて保持する記憶部と、前記画像受信部、前記表示部、前記画像処理部、前記画像判定部および前記記憶部を制御する制御部とを備え、前記機器制御部は、前記画像表示装置に対する指令を送信すべき旨の入力操作を前記入力操作部が受け付けたとき、前記指令に予め関連付けられた前記規定パターンを前記規定パターン生成部に生成させ、前記規定パターンを前記画像と重畳させた重畳画像を前記機器画像処理部に生成させ、前記画像表示装置に対し、前記重畳画像に係る画像データを前記画像出力部に出力させ、前記制御部は、前記画像データに係る画像中に前記規定パターンが含まれると前記画像判定部が判定したとき、前記規定パターンに関連付けられた前記指令に基づき、前記設定変更部に前記設定を変更させることを特徴とする画像表示システムを提供するものである。
【発明の効果】
【００１１】
この発明によれば、コマンド制御用の特別なシステムを必要とすることなく、外部機器から設定の変更を容易に行うことのできる画像表示装置、画像表示方法および画像表示システムが提供される。
【００１２】
以上に述べたように、
（ｉ）この発明の画像表示装置は、外部機器から画像データを受信する画像受信部と、前記画像データに係る画像を表示する表示部と、予め定められた指令に基づき、予め定められた設定の変更を行う設定変更部と、前記画像データに係る画像中に予め定められた規定パターンが含まれるか否かを判定する画像判定部と、前記指令を前記規定パターンと予め関連付けて保持する記憶部と、前記画像データに係る画像中に前記規定パターンが含まれると前記画像判定部が判定したとき、前記規定パターンと関連付けられた前記指令に基づき、前記設定変更部に前記設定を変更させる制御部とを備えたことを特徴とする。
また、この発明の画像表示方法は、外部機器から画像データを受信して前記画像データに係る画像を表示する表示ステップと、予め定められた設定の変更に係る指令と関連付けられた規定パターンを受信する受信ステップと、前記画像データに係る画像中に前記規定パターンが含まれるか否かを判定する判定ステップと、前記規定パターンが含まれると判定した場合、前記規定パターンと関連付けられた前記指令に基づき、前記設定を変更する変更ステップとを含むことを特徴とする。
また、この発明の画像表示システムは、外部機器および画像表示装置からなる画像表示システムであって、前記外部機器は、ユーザーの入力操作を受け付ける入力操作部と、前記入力操作に基づき、前記画像表示装置に対する指令に予め関連付けられた規定パターンを生成する規定パターン生成部と、画像を表示する機器表示部と、前記規定パターンを前記画像と重畳させた重畳画像を生成する機器画像処理部と、前記画像表示装置に対し、前記重畳画像に係る画像データを出力する画像出力部と、前記入力操作部、前記規定パターン生成部、前記機器表示部、前記機器画像処理部および前記画像出力部を制御する機器制御部とを備え、前記画像表示装置は、前記外部機器から出力された画像データを受信する画像受信部と、前記画像データに係る画像を表示する表示部と、予め定められた設定の変更を行う設定変更部と、前記画像データに係る画像中に前記規定パターンが含まれるか否かを判定する画像判定部と、前記指令を前記規定パターンに予め関連付けて保持する記憶部と、前記画像受信部、前記表示部、前記画像処理部、前記画像判定部および前記記憶部を制御する制御部とを備え、前記機器制御部は、前記画像表示装置に対する指令を送信すべき旨の入力操作を前記入力操作部が受け付けたとき、前記指令に予め関連付けられた前記規定パターンを前記規定パターン生成部に生成させ、前記規定パターンを前記画像と重畳させた重畳画像を前記機器画像処理部に生成させ、前記画像表示装置に対し、前記重畳画像に係る画像データを前記画像出力部に出力させ、前記制御部は、前記画像データに係る画像中に前記規定パターンが含まれると前記画像判定部が判定したとき、前記規定パターンに関連付けられた前記指令に基づき、前記設定変更部に前記設定を変更させることを特徴とする。
【００１３】
この発明において、「画像表示装置」は、動画、静止画または３Ｄ画像等の映像を表示する装置であり、例えば、テレビやコンピュータ（ＰＣ）、電子黒板等のディスプレイがあげられる。
「外部機器」は、画像表示装置に接続して画像信号を出力する外部の機器であり、例えば、パーソナルコンピュータ（ＰＣ）、スマートフォンやタブレット等の携帯端末、ＤＶＤレコーダー、テレビ等があげられる。
【００１４】
さらに、この発明の好ましい態様について説明する。
【００１５】
（ii）この発明による画像表示装置において、前記規定パターンは、１次元または２次元コードであってもよい。
【００１６】
このようにすれば、簡単なコードにより、外部機器から高い精度で設定の変更を容易に行うことのできる画像表示装置を実現できる。
【００１７】
（iii）この発明による画像表示装置において、前記設定は、画像表示、音声入出力、カラーモード切替およびネットワーク接続に関する設定のうち少なくとも１つの設定を含むものであってもよい。
【００１８】
このようにすれば、コマンド制御用の特別なシステムを必要とすることなく、外部機器から入力された画像の変更設定、画像の分割設定および画像の切替設定のうち少なくとも１つの設定の変更を容易に行うことのできる画像表示装置を実現できる。
【００１９】
「画像の変更設定、画像の分割設定および画像の切替設定」は、例えば、２以上の小画面に並べて表示するＰＢＰ（Picture By Picture）機能やメインとなる大画面中に小画面を表示するＰＩＰ（Picture In Picture）機能に関する設定などである。
【００２０】
（iv）また、この発明は、前記画像表示装置に画像データを出力する外部機器であって、前記外部機器は、ユーザーからの入力操作を受け付ける入力操作部と、前記入力操作に基づき、前記画像表示装置に対する指令に関連付けられた前記規定パターンを生成する規定パターン生成部と、前記画像表示装置に対し、画像データを出力する画像出力部と、前記画像表示装置に対する指令を送信すべき旨の入力操作を前記入力操作部が受け付けたとき、前記指令に予め関連付けられた前記規定パターンを前記規定パターン生成部に生成させて、前記規定パターンに係る画像データを前記画像出力部に出力させる機器制御部とを備えた外部機器であってもよい。
【００２１】
このようにすれば、コマンド制御用の特別なシステムを必要とすることなく、規定パターンを画像表示装置に出力するだけで、設定の変更を容易に行うことのできる外部機器を実現できる。
【００２２】
（ｖ）この発明による外部機器において、前記画像表示装置に出力すべき画像データに係る画像に前記規定パターンを重畳させた重畳画像を生成する機器画像処理部をさらに備え、前記機器制御部は、前記画像表示装置に対し、前記画像表示装置に対する指令を送信すべき旨の入力操作を前記入力操作部が受け付けたとき、前記指令に予め関連付けられた前記規定パターンを前記規定パターン生成部に生成させ、前記画像データに係る画像に前記規定パターンを重畳させた重畳画像を前記機器画像処理部に生成させて、前記画像表示装置に対し、前記重畳画像に係る画像データを前記画像出力部に出力させるものであってもよい。
【００２３】
このようにすれば、コマンド制御用の特別なシステムを必要とすることなく、画像データに係る画像に規定パターンを重畳した重畳画像を画像表示装置に出力するだけで、設定の変更を容易に行うことのできる外部機器を実現できる。
【００２４】
（vi）この発明による外部機器において、機器表示部をさらに備え、前記機器制御部は、前記指令に係る項目を選択可能に表示したリストを前記機器表示部に表示させ、前記リストに表示された前記指令の実行を前記入力操作部が受け付けたとき、前記指令と予め関連付けられた前記規定パターンを前記規定パターン生成部に生成させ、前記規定パターンを前記画像と重畳させた重畳画像を前記機器画像処理部に生成させ、前記画像表示装置に対し、前記重畳画像に係る画像データを前記画像出力部に出力させるものであってもよい。
【００２５】
このようにすれば、機器表示部に表示されたリストから任意の項目を選択するだけで、コマンド制御用の特別なシステムを必要とすることなく、画像データに係る画像に規定パターンを重畳した重畳画像を画像表示装置に出力するだけで、設定の変更を容易に行うことのできる外部機器を実現できる。
【００２６】
（vii）この発明による外部機器において、前記規定パターンは、前記機器表示部の予め定められた位置に表示されるものであってもよい。
【００２７】
このようにすれば、規定パターンは機器表示部の予め定められた位置に表示されるため、機器表示部に表示された画像の視認が妨げられることなく、画像判定部による判定も容易になり、高い精度で設定の変更を容易に行うことのできる外部機器を実現できる。
【００２８】
「機器表示部の予め定められた位置」は、例えば、機器表示部の四隅の領域内の位置や上下左右の端の領域内の位置などであり、機器表示部に表示された他の画像となるべく重複しない位置である。
【００２９】
（viii）この発明による外部機器において、前記規定パターンは、前記機器表示部の前記リストと重複しない位置に表示されるものであってもよい。
【００３０】
このようにすれば、規定パターンは、機器表示部の前記リストと重複しない位置に表示されるため、リストの視認が妨げられることなく、画像判定部による判定も容易になり、高い精度で設定の変更を容易に行うことのできる外部機器を実現できる。
【００３１】
（ix）この発明による画像表示システムにおいて、前記規定パターンは、前記機器表示部に予め定められた時間、表示された後で消去されるものであってもよい。
【００３２】
このようにすれば、規定パターンは、前記機器表示部に予め定められた時間、表示された後で消去されるため、機器表示部に規定パターンの表示が継続することによって、機器表示部に表示された画像の視認が妨げられることがなくなる。
【００３３】
「予め定められた時間」は、画像判定部による判定が可能な最低限の時間を確保でき、かつ、機器画像表示部に表示された画像の視認が長時間妨げられない時間の範囲に設定される。
【図面の簡単な説明】
【００３４】
【図１】この発明の画像表示システムの概略構成を示すブロック図である。
【図２】この発明の外部機器の概略構成を示すブロック図である。
【図３】この発明の画像表示装置の表示部に表示すべき画像切替操作の概要を示す説明図である。図３（Ａ）は、この発明の画像表示システムにおいて、外部機器から入力された画像を画像表示装置の表示部にＰＢＰ表示させた場合の一例を示し、図３（Ｂ）は、図３（Ａ）の画像表示装置の表示部において、小画面表示された画像３と大画面表示された画像１とを入れ替えて表示した場合を示す。
【図４】この発明の画像表示装置の表示部に表示すべき画像の外部機器における画像切替操作の手順を示すフローチャートである。
【図５】この発明の実施形態１に係る画像表示装置の表示部に表示すべき画像の外部機器における画像切替操作の具体例を示す説明図である。図５（Ａ）、（Ｂ）、（Ｃ）は外部機器における画像切替操作の一連の手順を示す説明図である。
【図６】この発明の実施形態１に係る画像表示装置の表示部に表示すべき画像の画像表示装置における画像切替操作の手順を示すフローチャートである。
【図７】この発明の実施形態２に係る画像表示装置の表示部に表示すべき画像の外部機器における画像切替操作の具体例を示す説明図である。図７（Ａ）、（Ｂ）、（Ｃ）は外部機器における画像切替操作の一連の手順を示す説明図である。
【図８】この発明の実施形態３に係る画像表示装置の表示部に表示すべき画像の外部機器における画像切替操作の具体例を示す説明図である。図８（Ａ）、（Ｂ）、（Ｃ）は外部機器における画像切替操作の一連の手順を示す説明図である。
【発明を実施するための形態】
【００３５】
以下、図面を用いてこの発明をさらに詳述する。なお、以下の説明は、すべての点で例示であって、この発明を限定するものと解されるべきではない。
【００３６】
（実施形態１）
＜画像表示システム１００の構成＞
この発明の実施形態１に係る画像表示システム１００について説明する。
なお、以下の実施形態において、予め定められた設定の変更の一例として、画像の切り替えの場合を例示して説明するが、この発明は、画像の切り替えのみに限定されず、画像のコントラストや輝度などの設定、画像の回転などの画像の変更にも適用可能である。
また、画像の設定に限られず、音量の増減やＭＵＴＥ、カラーモードの切替設定、ネットワーク設定のＯＮ・ＯＦＦなどの設定にも適用可能である。
【００３７】
以下、図１および図２に基づき、この発明の画像表示システム１００の構成を説明する。
図１は、この発明の画像表示システム１００の概略構成を示すブロック図であり、図２は、この発明の外部機器２の概略構成を示すブロック図である。
【００３８】
画像表示システム１００は、画像表示装置１および２以上の外部機器２ａ〜２ｄからなり、２以上の外部機器２ａ〜２ｄは、それぞれ画像ケーブル３ａ〜３ｄを通じて画像表示装置１の画像受信部１１ａ〜１１ｄにそれぞれ接続されている。
なお、画像表示システム１００は、２以上の外部機器２ａ〜２ｄからなるものに限られず、例えば、画像表示装置１および１つの外部機器２からなるものであってもよい。
【００３９】
画像表示装置１は、動画、静止画または３Ｄ画像等の画像・映像（以下、単に「画像」とする）を表示する装置であり、例えば、テレビやパーソナルコンピュータ（ＰＣ）、パブリックディスプレイ、デジタルサイネージディスプレイ、モニター、電子黒板等のディスプレイがあげられる。
また、画面上にタッチすることによって操作するタッチパネル機能を有する画像表示装置１であってもよい。
画像表示装置１は、２以上の外部機器２ａ〜２ｄから入力された画像を切り替えて、表示部１４にＰＢＰ・ＰＩＰ表示させる機能を有する。
【００４０】
図１に示すように、この発明の画像表示装置１は、主として、制御部１０、画像受信部１１ａ〜１１ｄ、表示用メモリ１２ａ〜１２ｄ、画像処理部１３、表示部１４、画像判定用メモリ１５、画像判定部１６および記憶部１７を備える。
【００４１】
以下、図１に示す画像表示装置１の各構成要素を説明する。
【００４２】
制御部１０は、マイクロプロセッサ(Microprocessor)を主体とする回路であり、各種装置の制御処理やオペレーティングシステム、アプリケーションソフトウェアなどの処理を行う演算装置である。また、周辺回路として、特定の用途のために設計、製造される集積回路であるＡＳＩＣ（Application Specific Integrated Circuit）、その他の演算機能を有する回路を含んでいてもよい。
【００４３】
画像受信部１１ａ〜１１ｄは、それぞれ外部機器２ａ〜２ｄから画像ケーブル３ａ〜３ｄおよび図示しない映像入力端子を通じて入力された画像信号を受信する部分である。
画像信号の種類としては、例えば、ＶＧＡ端子やコンポーネント端子等のアナログ入力端子、ＤＶＩ端子やＨＤＭＩ（登録商標）端子やＤｉｓｐｌａｙＰｏｒｔ端子等のデジタル入力素子、またはＵＳＢコネクタ等の制御系の映像入力端子に係る画像信号があげられる。
また、画像受信部１１ａ〜１１ｄは、有線による画像信号の受信に限られず、Ｂｌｕｅｔｏｏｔｈ（登録商標）や無線ＬＡＮなどの無線による画像信号を受信するものであってもよい。
【００４４】
表示用メモリ１２ａ〜１２ｄは、それぞれ画像受信部１１ａ〜１１ｄが受信した画像データを格納する部分である。
【００４５】
画像処理部１３は、表示用メモリ１２ａ〜１２ｄに格納された画像データに基づき、分割画像やＰＩＰ（Picture in Picture）画像等を生成する処理を行う部分である。
また、画像処理部１３は、例えば、画像補整、カラー補正、γ補正、倍速処理、ＯＳＤ生成およびＯＳＤ重畳などの処理も行う。
【００４６】
表示部１４は、画像処理部１３で処理された画像を表示する部分である。
表示部１４は、例えば、ＣＲＴディスプレイ、液晶ディスプレイ、ＥＬディスプレイなどで構成され、オペレーティングシステムやアプリケーションソフトウェアが処理状態などの電子的なデータを表示するためのモニターやラインディスプレイなどの表示装置である。
また、表示部１４の表示面をタッチパネルで覆い、表示面に接触したユーザーの指先等の位置を検出してタッチパネル操作を行うものであってもよい。
【００４７】
画像判定用メモリ１５は、画像判定部１６による判定のため、表示用メモリ１２ａ〜１２ｄに格納された画像データを一時的に格納する部分である。
【００４８】
画像判定部１６は、画像判定用メモリ１５に格納された画像データに予め定められた規定パターンＳＰが含まれているか否かを判定する部分である。
【００４９】
記憶部１７は、画像表示装置１の各種構成要素の制御処理や画像表示装置１のオペレーティングシステム、画像表示装置１にインストールされたアプリケーションソフトウェアなどのプログラムおよびその他のデータ等が保持される部分である。
また、記憶部１７は、予め定められた画像切替指令を予め定められた規定パターンＳＰと関連付けて保持する。
【００５０】
次に、図１に示す外部機器２ａ〜２ｄは、画像表示装置１に接続して画像信号を出力する機器である。外部機器２ａ〜２ｄとしては、例えば、パーソナルコンピュータ（ＰＣ）、スマートフォンやタブレット等の携帯端末、ＤＶＤレコーダー、テレビ等の機器があげられる。
【００５１】
以下の説明において、外部機器２ａ〜２ｄを総称して外部機器２と呼ぶことにする。
図２に示すように、この発明の外部機器２は、主として、機器制御部２０、入力操作部２１、機器記憶部２２、規定パターン生成部２３、機器画像処理部２４、機器表示部２５および画像出力部２６を備え、画像出力部２６は画像ケーブル３を通じて、画像表示装置１に接続される。
【００５２】
以下、図２に示す外部機器２の各構成要素を説明する。
【００５３】
機器制御部２０は、外部機器２の各部を制御する部分であり、制御部１０と同様の構成を有する。
【００５４】
入力操作部２１は、外部機器２のオペレーティングシステムや外部機器２にインストールされたアプリケーションソフトウェアに対し、タッチパネルを通じた電子アイコンの操作、物理キーの操作により、ユーザーからの指令等を機器制御部２０に伝える部分である。
【００５５】
機器記憶部２２は、外部機器２の各種構成要素の制御処理や外部機器２のオペレーティングシステム、外部機器２にインストールされたアプリケーションソフトウェアなどのプログラムおよびその他のデータ等が保持される部分である。
【００５６】
規定パターン生成部２３は、入力操作部２１からの指令に基づき、画像表示装置１の表示部１４にＰＢＰ／ＰＩＰ表示された２以上の画面の切替操作に係る画像切替指令と予め関連付けられた規定パターンＳＰを生成する部分である。
【００５７】
生成される規定パターンＳＰとしては、バーコード等の１次元コードや、ＱＲコード（登録商標）等の２次元コードなどがあげられる。また、規定パターンＳＰとして、特定の数字、文字または記号等の組み合わせからなるコードや幾何学図形であってもよい。
【００５８】
なお、規定パターン生成部２３は、外部機器２に予め組み込まれた部分である必要はなく、例えば、画像表示装置１の画像切替操作に係るアプリケーションプログラムを外部機器２にインストールし、アプリケーションを起動することによって構成されるものであってもよい。
【００５９】
機器画像処理部２４は、機器表示部２５に表示すべき画像を出力に適するように処理し、また、規定パターン生成部２３によって生成された規定パターンＳＰを当該画像と重畳する部分である。
【００６０】
機器表示部２５は、機器画像処理部２４で処理された画像の表示を行う部分であり、表示部１４と同様の構成を有する。
【００６１】
画像出力部２６は、画像ケーブル３を通じて画像表示装置１に画像信号を出力する部分である。
【００６２】
また、図示しないが、画像表示装置１は、ユーザーからの指令を受け付ける操作部、ＶＧＡ端子やコンポーネント端子等のアナログ入力端子、ＤＶＩ端子やＨＤＭＩ端子やＤｉｓｐｌａｙＰｏｒｔ（ＤＰ）端子等の外部機器２の端子を接続して外部機器２からの画像信号を入力する入力端子部、制御プログラムやログ情報、ユーザー設定情報、システム情報用の固定テキストなど、画像表示装置１の各種機能を実現するために必要な情報を格納する不揮発性メモリ、各種データを一時的に記憶し、プログラムのワークエリア等としても使用される揮発性メモリ、画像表示装置１の各種処理の経過時間を計測するタイマ、リモコンからの赤外線（ＩＲ）信号を受光する受光部、外部のネットワークを介して、外部機器２と有線または無線による通信を行い、画像データ等のデータを送受信する通信部などを備える。
【００６３】
＜画像表示装置１の外部機器２からの画像切替操作の手順＞
次に、図３に基づき、画像表示装置１の外部機器２からの画像切替操作の概要について説明する。
図３は、この発明の画像表示装置１の表示部１４に表示された画像切替操作の概要を示す説明図である。図３（Ａ）は、この発明の画像表示システム１００において、外部機器２ａ〜２ｄから入力された画像を画像表示装置１の表示部１４にＰＢＰ表示させた場合の一例を示し、図３（Ｂ）は、図３（Ａ）の画像表示装置１の表示部１４において、小画面表示された画像３と大画面表示された画像１とを入れ替えて表示した場合を示す。
【００６４】
図３（Ａ）に示すように、外部機器２ａ〜２ｄから有線または無線を通じて入力された画像１〜４を画像表示装置１の表示部１４にＰＢＰ表示させた場合を想定する。
【００６５】
図３（Ａ）において、表示部１４の左側には、外部機器２ａからの画像１が大画面表示され、表示部１４の右側には、外部機器２ｂ〜２ｄからの画像２〜４が上から順に小画面表示されている。
なお、画像表示装置１に接続された１以上の外部機器２には、画像表示装置１の画像切替操作に係るアプリケーションプログラムをインストールしていないものや、機器表示部２５を備えていないものが含まれていてもよい。
【００６６】
ここで、外部機器２ｂのユーザーは、図３（Ｂ）に示すように、画像１の代わりに画像３を表示部１４に大画面表示させたいとする。
このとき、従来は、画像表示装置１の図示しない操作部か付属のリモコンによって画像の切替操作を行うことにより、画像３を大画面表示させるのが一般的であったが、外部機器２ｂが画像表示装置１から離れた位置にある場合や、リモコンが手元にない場合、ユーザーの利便性が高いものとはいえなかった。
【００６７】
そこで、この発明の実施形態１において、外部機器２ｂのユーザーは、外部機器２ｂの機器表示部２５に表示された画像に予め定められた規定パターンＳＰを重畳的に表示させ、当該規定パターンＳＰを含む画像に係る画像データを画像表示装置１に送信する。
規定パターンＳＰは、画像表示装置１の表示部１４に表示すべき画像の画像切替指令に予め関連付けられており、画像表示装置１は、当該規定パターンＳＰを含む画像に係る画像データを受信したとき、当該画像切替指令に基づく画像切替操作を行う。
このようにして、コマンド制御用の特別なシステムを必要とすることなく、外部機器２から入力された画像を通じて、画像３を大画面表示させることが可能な画像表示システム１００を実現することができる。
【００６８】
次に、図４および図５に基づき、この発明の画像表示装置１の表示部１４に表示すべき画像の外部機器２における画像切替操作の手順を説明する。
図４は、この発明の画像表示装置１の表示部１４に表示すべき画像の外部機器２における画像切替操作の手順を示すフローチャートであり、図５は、この発明の実施形態１に係る画像表示装置１の表示部１４に表示すべき画像の外部機器２における画像切替操作の具体例を示す説明図であり、図５（Ａ）、（Ｂ）、（Ｃ）は外部機器２における画像切替操作の一連の手順を示す説明図である。
【００６９】
実施形態１において、ユーザーは、画像表示装置１の表示部１４に表示すべき画像の入力切替用のアプリケーションプログラムを画像表示装置１に接続すべき外部機器２に予めインストールしておくものとする。
当該アプリケーションがインストールされると、図５（Ａ）に示すように、外部機器２の機器表示部２５の最下部のタスクバーに当該アプリケーションの起動用のアイコン２０１が表示される。
【００７０】
図４のステップＳ１において、外部機器２の機器制御部２０は、画像切替操作用のアプリケーションが起動したか否かを判定する（ステップＳ１）。
当該アプリケーションが起動した場合（ステップＳ１の判定がＹｅｓの場合）、機器制御部２０は、ステップＳ２において、当該アプリケーションのリスト２０２を機器表示部２５に表示させる（ステップＳ２）。その後、機器制御部２０は、ステップＳ３の判定を行う（ステップＳ３）。
一方、当該アプリケーションが起動していない場合（ステップＳ１の判定がＮｏの場合）、機器制御部２０は、ステップＳ１の判定を繰り返す（ステップＳ１）。
【００７１】
具体的には、図５（Ｂ）に示すように、アイコン２０１が起動されると、機器表示部２５の予め定められた領域内に当該アプリケーションの操作用のリスト２０２が表示される。
図５において、リスト２０２は、アイコン２０１の直上に表示されるが、その他の領域に表示するものであってもよい。
リスト２０２には、上から順に、「分割表示」、「このＰＣをメイン画面に表示」、「ＨＤＭＩに切替」、「ＤＶＩに切替」および「ＤＰに切替」の各項目が表示されている。
なお、リスト２０２の項目は、上にあげた項目に限られず、画像表示装置１の機能に応じて上と異なる項目を含むものであってもよい。
【００７２】
次に、ステップＳ３において、機器制御部２０は、リスト２０２に表示された項目のうち、いずれかの項目が選択されたか否かを判定する（ステップＳ３）。
いずれかの項目が選択された場合（ステップＳ３の判定がＹｅｓの場合）、機器制御部２０は、ステップＳ４において、選択された項目に対応した規定パターンＳＰを機器表示部２５の予め定められた領域に表示させる（ステップＳ４）。その後、機器制御部２０は、ステップＳ５の判定を行う（ステップＳ５）。
一方、いずれの項目も選択されていない場合（ステップＳ３の判定がＮｏの場合）、機器制御部２０は、ステップＳ３の判定を繰り返す（ステップＳ３）。
【００７３】
具体的には、図５（Ｃ）に示すように、ユーザーが「このＰＣをメイン画面に表示」の項目を選択したときに、機器表示部２５の右上領域（例えば、右上の角１００ドット×１００ドットの領域など）に、当該項目に対応する規定パターンＳＰが表示される。
なお、規定パターンＳＰの表示領域は、機器表示部２５の右上領域に限られず、任意の場所に表示してもよい。
【００７４】
次に、ステップＳ５において、機器制御部２０は、規定パターンＳＰを機器表示部２５に表示させた後、予め定められた時間（例えば、３秒間）が経過したか否かを判定する（ステップＳ５）。
予め定められた時間が経過した場合（ステップＳ５の判定がＹｅｓの場合）、機器制御部２０は、ステップＳ６において、機器表示部２５から規定パターンＳＰを消去する（ステップＳ６）。その後、機器制御部２０は、ステップＳ７の判定を行う（ステップＳ７）。
【００７５】
一方、予め定められた時間が経過していない場合（ステップＳ５の判定がＮｏの場合）、機器制御部２０は、ステップＳ４の処理を繰り返す（ステップＳ４）。
【００７６】
次に、ステップＳ７において、機器制御部２０は、アプリケーションの終了指令を受け付けたか否かを判定する（ステップＳ７）。
アプリケーションの終了指令を受け付けた場合（ステップＳ７の判定がＹｅｓの場合）、機器制御部２０は、画像切替操作の処理を終了させる（ステップＳ７）。
一方、アプリケーションの終了指令を受け付けていない場合（ステップＳ７の判定がＮｏの場合）、機器制御部２０は、ステップＳ３の判定を繰り返す（ステップＳ３）。
【００７７】
次に、図６に基づき、この発明の実施形態１に係る画像表示装置１の表示部１４に表示すべき画像の画像表示装置１における画像切替操作の手順について説明する。
図６は、この発明の実施形態１に係る画像表示装置１の表示部１４に表示すべき画像の外部機器２における画像切替操作の手順を示すフローチャートである。
【００７８】
図６のステップＳ１１において、制御部１０は、表示用メモリ１２ａ〜１２ｄに格納された画像データのうち、予め定められた領域に表示された画像に係る画像データを画像判定用メモリ１５にコピーする（ステップＳ１１）。
【００７９】
次に、ステップＳ１２において、制御部１０は、画像判定用メモリ１５にコピーされた画像データを画像判定部１６に判定させる（ステップＳ１２）。
【００８０】
次に、ステップＳ１３において、制御部１０は、画像判定部１６が当該画像データに係る画像に予め定められた規定パターンＳＰを含まれるか否かを判定する（ステップＳ１３）。
予め定められた規定パターンＳＰを含まれる場合（ステップＳ１３の判定がＹｅｓの場合）、制御部１０は、ステップＳ１４において、当該規定パターンＳＰに対応した画像切替指令を画像処理部１３に実行させる（ステップＳ１４）。
その後、制御部１０は、ステップＳ１５の判定を行う（ステップＳ１５）。
【００８１】
一方、予め定められた規定パターンＳＰを含まれていない場合（ステップＳ１３の判定がＮｏの場合）、制御部１０は、ステップＳ１５の判定を行う（ステップＳ１５）。
【００８２】
次に、ステップＳ１５において、制御部１０は、外部機器２ａ〜２ｄが接続された全ての表示用メモリ１２ａ〜１２ｄの画像データが確認されたか否かを判定する（ステップＳ１５）。
全ての表示用メモリ１２ａ〜１２ｄの画像データが確認された場合（ステップＳ１５の判定がＹｅｓの場合）、制御部１０は、ステップＳ１６において、デフォルトで定められた確認順の先頭の表示用メモリ１２ａに切り替える（ステップＳ１６）。その後、制御部１０は、ステップＳ１８の判定を行う（ステップＳ１８）。
【００８３】
一方、全ての表示用メモリ１２ａ〜１２ｄの画像データが確認されていない場合（ステップＳ１５の判定がＮｏの場合）、制御部１０は、ステップＳ１７において、前記確認順において、次の表示用メモリ１２ａに切り替える（ステップＳ１６）。その後、制御部１０は、ステップＳ１８の判定を行う（ステップＳ１８）。
【００８４】
次に、ステップＳ１８において、制御部１０は、予め定められた時間（例えば、前回の画像データの確認時から１０ｍｓ〜３００ｍｓなど）が経過したか否かを判定する（ステップＳ１８）。
予め定められた時間が経過した場合（ステップＳ１８の判定がＹｅｓの場合）、制御部１０は、ステップＳ１１の処理を繰り返す（ステップＳ１１）。
一方、予め定められた時間が経過していない場合（ステップＳ１８の判定がＮｏの場合）、制御部１０は、ステップＳ１８の判定を繰り返す（ステップＳ１８）。
【００８５】
このように、制御部１０は、定期的に外部機器２ａ〜２ｄから受信した画像データに規定パターンＳＰが含まれているか否かを画像判定部１６に判定させ、当該規定パターンＳＰに予め関連付けられた画像切替指令を画像処理部１３に実行させる。
それゆえ、操作用のリモコンや制御信号用の特別なシステムを必要とすることなく、外部機器２ａ〜２ｄから画像表示装置１に送信される画像データを介して、画像表示装置１の画像切替操作を容易に実現することができる。
【００８６】
（実施形態２）
次に、図７に基づき、この発明の実施形態２に係る画像表示装置１の表示部１４に表示すべき画像の外部機器２における画像切替操作の手順について説明する。
図７は、この発明の実施形態２に係る画像表示装置１の表示部１４に表示すべき画像の外部機器２における画像切替操作の具体例を示す説明図である。図７（Ａ）、（Ｂ）、（Ｃ）は外部機器２における画像切替操作の一連の手順を示す説明図である。
【００８７】
実施形態１では、機器表示部２５の予め定められた領域内に固定された、画像の入力切替用のアプリケーションの操作用のリスト２０２が表示された。
一方、実施形態２においては、図７（Ａ）に示すように、当該アプリケーションを起動したとき、ドラッグ等による移動操作が可能なリスト２０３が表示される。
【００８８】
リスト２０３に表示されたいずれかの項目がユーザーによって選択されたとき、機器表示部２５の右上領域に、当該項目に対応する規定パターンＳＰが表示される。
【００８９】
このようにすれば、ユーザーはリスト２０３を自由な位置に配置できるため、画像表示装置１の画像切替操作において、ユーザーの利便性を高めることが可能となる。
【００９０】
なお、実施形態２において、アイコン２０１をタスクバーに表示させず、一般的な起動手順により、画像の入力切替用のアプリケーションを起動させるようにしてもよい。
【００９１】
（実施形態３）
次に、図８に基づき、この発明の実施形態３に係る画像表示装置１の表示部１４に表示すべき画像の外部機器２における画像切替操作の手順について説明する。
図８は、この発明の実施形態３に係る画像表示装置１の表示部１４に表示すべき画像の外部機器２における画像切替操作の具体例を示す説明図である。図８（Ａ）、（Ｂ）、（Ｃ）は外部機器２における画像切替操作の一連の手順を示す説明図である。
【００９２】
図８（Ａ）に示すように、実施形態３においては、実施形態１と同様に、画像の入力切替用のアプリケーションの操作用のリスト２０４を機器表示部２５の予め定められた領域内に表示させる。
【００９３】
実施形態１と異なる点は、図８（Ｃ）に示すように、リスト２０４内の予め定められた領域内に規定パターンＳＰを表示させる点である。
【００９４】
このようにすれば、リスト２０４の当該領域内に規定パターンＳＰが表示されるため、規定パターンＳＰの表示により、リスト２０４の視認が妨げられるおそれがなく、また、画像判定部１６による規定パターンＳＰの判定も容易になる。
【００９５】
（実施形態４）
実施形態２において、リスト２０３が規定パターンＳＰの表示領域に移動した場合、規定パターンＳＰがリスト２０３と重複しないように、リスト２０３の一部領域を空欄にしてその下にリスト２０３の各項目を表示させるようにしてもよい。
【００９６】
このようにすれば、規定パターンＳＰがリスト２０３の各項目と重複する位置に表示されることによって、リスト２０３の視認が妨げられるおそれがなく、また、画像判定部１６による規定パターンＳＰの判定も容易になる。
【００９７】
（実施形態５）
実施形態２において、リスト２０３が規定パターンＳＰの表示領域に移動した場合、規定パターンＳＰと重複しない領域にリスト２０３の表示位置をずらすようにしてもよい。
【００９８】
このようにすれば、規定パターンＳＰと重複しない領域にリスト２０３の表示位置が移動するため、リスト２０３の視認が妨げられるおそれがなく、また、画像判定部１６による規定パターンＳＰの判定も容易になる。
【００９９】
（実施形態６）
実施形態１〜５において、規定パターンＳＰが表示されている間、リスト２０３を一時的に消去するようにしてもよい。
【０１００】
このようにすれば、規定パターンＳＰが表示されている間、リスト２０３が消去されるため、リスト２０３と規定パターンＳＰが重複する位置に表示されることによって、画像判定部１６による規定パターンＳＰの判定が困難になることを防止できる。
【０１０１】
（実施形態７）
図６のステップＳ１４において、制御部１０は、規定パターンＳＰに対応した画像切替指令を画像処理部１３に実行させた場合、予め定められた時間（例えば、１秒間）、画像切替操作を受け付けないようにしてもよい。
【０１０２】
このようにすれば、複数の外部機器２から同時に画像切替操作があった場合において、画像切替処理が頻繁に生じることを防止することができる。
また、特定の外部機器２から画像切替操作があった場合において、さらにステップＳ１１〜Ｓ１３の処理が実行されることにより、同じ処理が重複して実行されないようにする効果もある。
【０１０３】
（実施形態８）
規定パターンＳＰが、細かい点からなるパターンや、ごく短時間にのみ表示されるパターンなど、ユーザーに目立たないように表示させるようにしてもよい。
【０１０４】
このようにすれば、外部機器２の機器表示部２５に表示される規定パターンＳＰが目立たなくなるため、ユーザーの利便性が向上する。
【０１０５】
（実施形態９）
実施形態１〜８において、規定パターンＳＰが含まれた画像を画像判定部１６が判定し、当該規定パターンＳＰと関連付けられた画像切替指令に基づき、画像切替指令を実行する場合を考えた。
【０１０６】
一方、実施形態９においては、画像切替指令と関連付けられた正弦波や矩形波等の音声信号の規定パターンＳＰを外部機器２が生成し、当該規定パターンＳＰを画像表示装置１に設けられた音声判定部が判定し、当該規定パターンＳＰと関連付けられた画像切替指令に基づき、画像切替指令を実行するようにしてもよい。
【０１０７】
このようにすれば、外部機器２の機器表示部２５に規定パターンＳＰを表示することなく、外部機器２から画像表示装置１に画像切替指令を送信できるため、ユーザーの利便性が向上する。
【０１０８】
この発明の好ましい態様は、上述した複数の態様のうちの何れかを組み合わせたものも含む。
前述した実施形態の他にも、この発明について種々の変形例があり得る。それらの変形例は、この発明の範囲に属さないと解されるべきものではない。この発明には、請求の範囲と均等の意味及び前記範囲内でのすべての変形とが含まれるべきである。
【符号の説明】
【０１０９】
１：画像表示装置、    ２，２ａ，２ｂ，２ｃ，２ｄ：外部機器、    ３，３ａ，３ｂ，３ｃ，３ｄ：画像ケーブル、    １０：制御部、    １１ａ，１１ｂ，１１ｃ，１１ｄ：画像受信部、    １２ａ，１２ｂ，１２ｃ，１２ｄ：表示用メモリ、    １３：画像処理部、    １４：表示部、    １５：画像判定用メモリ、    １６：画像判定部、    １７：記憶部、    ２０：機器制御部、    ２１：入力操作部、    ２２：機器記憶部、    ２３：規定パターン生成部、    ２４：機器画像処理部、    ２５：機器表示部、    ２６：画像出力部、    １００：画像表示システム、    ２０１：アイコン、    ２０２，２０３，２０４：リスト、    ＳＰ：規定パターン
【図１】
2018180335.tif 000003
【図２】
2018180335.tif 000004
【図３】
2018180335.tif 000005
【図４】
2018180335.tif 000006
【図５】
2018180335.tif 000007
【図６】
2018180335.tif 000008
【図７】
2018180335.tif 000009
【図８】
2018180335.tif 000010